(57)【要約】  本発明は、下部部材と、下部部材の上側に下部部材に対して上下移動可能に配置された上部部材と、上部部材を移動させて上部部材の高低を調節する昇降装置とを含んでなる、高低調節枕を提供する。
2017511724.tif 000002
【特許請求の範囲】
【請求項１】
下部部材と、
前記下部部材の上側に前記下部部材に対して上下移動可能に配置された上部部材と、
前記上部部材を移動させて前記上部部材の高低を調節する昇降装置と、
を含んでなる、高低調節枕。
【請求項２】
前記昇降装置は、
前記下部部材を水平方向に貫通するように設置された一対の駆動軸と、
前記一対の駆動軸にそれぞれ軸設されて相互噛合される回転ギアと、
前記一対の駆動軸にそれぞれ軸設され、前記駆動軸の回転によって水平状態で横になったり垂直状態に立てられたりしながら前記上部部材を昇降させる昇降部材と、
を含む、
請求項１に記載の高低調節枕。
【請求項３】
前記一対の駆動軸のうちいずれか一つにはラチェット及びハンドルが設置され、
前記高低調節枕は、前記ラチェットの自由回転を制限して前記一対の駆動軸が固定された状態を維持させるストッパーをさらに含む、
請求項２に記載の高低調節枕。
【請求項４】
前記ストッパーは、ベースを水平方向に貫通するように設置された支持軸に軸設され、前記支持軸の長手方向の移動によって前記ラチェットと噛合されたり噛合が解除されたりする、請求項３に記載の高低調節枕。
【請求項５】
前記ストッパーと前記下部部材との間には前記支持軸を覆う弾性スプリングが備えられ、
前記支持軸は設定した位置に位置する、
請求項４に記載の高低調節枕。
【請求項６】
前記昇降装置は、
前記下部部材を水平方向に貫通するように設置された駆動軸と、
前記駆動軸の先端側に軸設され、前記駆動軸の縦方向の回転を横方向の回転に変えるベベルギアと、
前記ベベルギアと連動して横方向に回転する駆動ギア部と、
前記駆動ギア部と連動して横方向に回転する複数の従動ギア部と、
前記従動ギア部の上面周りに円周方向に形成され、高さが異なる複数の段部からなる昇降部と、
を含む、
請求項１に記載の高低調節枕。
【請求項７】
前記昇降部はそれぞれ高さが段差を有して形成された複数の段部からなり、
前記段部の間には傾斜面が形成された、
請求項６に記載の高低調節枕。
【請求項８】
前記上部部材の底面には前記昇降部の段部のうち同一の高さをなすそれぞれの段部に固着される複数の接触部材が備えられ、
前記複数の接触部材は前記昇降部の回転によって昇降する、
請求項６または請求項７に記載の高低調節枕。
【請求項９】
前記昇降装置は、
前記下部部材と前記上部部材のうちいずれか一つに上下方向の軸線を中心に回転可能に装着され、前記下部部材と前記上部部材のうち他の一つと対向する対向面に前記軸線を中心とする円周方向に沿って一方向に上向きに傾斜した傾斜部が設けられ、前記傾斜部の上に前記傾斜部の長手方向に連続して設けられ、互いに異なる高さに配置された複数の係止突起部を有する回転部材と、
前記下部部材と前記上部部材のうち他の一つに前記回転部材の回転角度によって前記複数の係止突起部のうちいずれか一つと接触可能に設けられた接触部材、
を含み、
前記複数の係止突起部はそれぞれ段差面及び連結面から構成され、
前記段差面は前記傾斜部の長手方向に沿って間隔を置いて配置されて互いに離隔すると同時に互いに異なる高さに位置し、
前記連結面は互いに異なる高さの段差面を連結する傾斜面で形成され、
前記接触部材は前記回転部材を回転させると前記連結面に沿って昇降しながら隣接する他の段差面に移動する、
請求項１に記載の高低調節枕。
【請求項１０】
前記段差面はそれぞれ前記軸線を中心とする円周方向に沿って一方向に下向きに傾斜して設けられた、請求項９に記載の高低調節枕。
【請求項１１】
前記上部部材の昇降を案内するものであって、ガイドピン及び前記ガイドピンが挿入されるガイド孔を有するピン挿入部材から構成された案内手段をさらに含み、
前記ガイドピンは前記上部部材と前記下部部材のうち一つに備えられ、
前記ピン挿入部材は前記上部部材と前記下部部材のうち他の一つに備えられた、
請求項１に記載の高低調節枕。
【請求項１２】
前記昇降装置による前記上部部材の高低を表示する表示装置をさらに含む、請求項１に記載の高低調節枕。
【請求項１３】
前記表示装置は、
前記上部部材から上下方向に沿って下側に延長されたラックと、
前記ラックと噛合されたピニオンと、
前記下部部材の外部に前記ピニオンとともに回転可能になるように設けられ、高低表示部を有する表示部材と、
を含む、
請求項１２に記載の高低調節枕。
【発明の詳細な説明】
【技術分野】
【０００１】
本発明は、枕に関し、さらに詳しくは、高低を可変させることができる高低調節枕に関する。
【背景技術】
【０００２】
枕は、使用者が横臥あるいは睡眠をとる時に楽な姿勢を維持することができるよう、使用者の頭を支えるものであるが、大概一定の高さ及び適正なクッション機能を有する。このような枕は、内部に中身が充填された枕本体、及び枕本体に被せられた枕カバーから構成される。中身としては、そばがら、もみがら、ラテックス、スポンジ、綿、毛、機能性含有物質などを適用することができる。
【０００３】
人は多様な姿勢で睡眠をとる。例えば、正姿勢で横臥したり、横臥したり、うつぶせになったりすることもある。枕を正姿勢で当てる場合は、人体の後頭部、頚椎及び背中の部位が大略一直線になるので、比較的高くない枕を使用してもさほど不便を感じないが、同一の高さの枕を横臥して当てる場合は、人体の一方の肩と一方の顔の横面の距離の差によって頚椎部位が曲がりながら不便を感じるようになる。反対に、相対的に高い枕を使用すると、横臥した場合は比較的快適さを感じることができるが、正姿勢で横臥した場合は頭が上がり快適な睡眠を期待することが難しくならざるを得ない。
【発明の概要】
【発明が解決しようとする課題】
【０００４】
本発明の実施例は、使用者が快適さを感じる高さに調節することができる高低調節枕を提供することを目的とする。
【課題を解決するための手段】
【０００５】
本発明の実施例によれば、下部部材と、前記下部部材の上側に前記下部部材に対して上下移動可能に配置された上部部材と、前記上部部材を移動させて前記上部部材の高低を調節する昇降装置とを含んでなる、高低調節枕を提供することができる。
【０００６】
前記昇降装置は、前記下部部材を水平方向に貫通するように設置された一対の駆動軸と、前記一対の駆動軸にそれぞれ軸設されて相互噛合される回転ギアと、前記一対の駆動軸にそれぞれ軸設され、前記駆動軸の回転によって水平状態で横になったり垂直状態に立てられたりしながら前記上部部材を昇降させる昇降部材とを含むことができる。
【０００７】
ここで、前記一対の駆動軸のうちいずれか一つにはラチェット及びハンドルを設置することができる。そして、本発明の実施例による高低調節枕は、前記ラチェットの自由回転を制限して前記一対の駆動軸が固定された状態を維持させるストッパーをさらに含むことができる。
【０００８】
前記ストッパーは、前記ベースを水平方向に貫通するように設置された支持軸に軸設され、前記支持軸の長手方向の移動によって前記ラチェットと噛合されたり、噛合が解除されたりすることができる。前記ストッパーと前記下部部材との間には前記支持軸を覆う弾性スプリングが備えられ、前記支持軸は設定した位置に位置することができる。
【０００９】
または、前記昇降装置は、前記下部部材を水平方向に貫通するように設置された駆動軸と、前記駆動軸の先端側に軸設され、前記駆動軸の縦方向の回転を横方向の回転に変えるベベルギアと、前記ベベルギアと連動して横方向に回転する駆動ギア部と、前記駆動ギア部と連動して横方向に回転する複数の従動ギア部と、前記従動ギア部の上面周りに円周方向に形成され、高さが異なる複数の段部からなる昇降部とを含むことができる。
【００１０】
前記昇降部はそれぞれ高さが段差を有して形成された複数の段部からなり、前記段部の間には傾斜面を形成することができる。
【００１１】
ここで、前記上部部材の底面には前記昇降部の段部のうち同一の高さをなすそれぞれの段部に固着される複数の接触部材が備えられ、前記複数の接触部材は前記昇降部の回転によって昇降することができる。
【００１２】
または、前記昇降装置は、前記下部部材と前記上部部材のうちいずれか一つに上下方向の軸線を中心に回転可能に装着され、前記下部部材と前記上部部材のうち他の一つと対向する対向面に前記軸線を中心とする円周方向に沿って一方向に上向きに傾斜した傾斜部が設けられ、前記傾斜部上に前記傾斜部の長手方向に連続して設けられ、互いに異なる高さに配置された複数の係止突起部を有する回転部材と、前記下部部材と前記上部部材のうち他の一つに前記回転部材の回転角度によって前記複数の係止突起部のうちいずれか一つと接触可能に設けられた接触部材を含み、前記複数の係止突起部はそれぞれ段差面及び連結面から構成され、前記段差面は前記傾斜部の長手方向に沿って間隔を置いて配置されて互いに離隔すると同時に互いに異なる高さに位置し、前記連結面は互いに異なる高さの段差面を連結する傾斜面で形成され、前記接触部材は前記回転部材を回転させると前記連結面に沿って昇降しながら隣接する他の段差面に移動することができる。
【００１３】
前記段差面はそれぞれ前記軸線を中心とする円周方向に沿って一方向に下向きに傾斜して設けることができる。
【００１４】
本発明の実施例による高低調節枕は、前記上部部材の昇降を案内するものであって、ガイドピン及び前記ガイドピンが挿入されるガイド孔を有するピン挿入部材から構成された案内手段をさらに含み、前記ガイドピンは前記上部部材と前記下部部材のうち一つに備え、前記ピン挿入部材は前記上部部材と前記下部部材のうち他の一つに備えることができる。
【００１５】
本発明の実施例による高低調節枕は、前記昇降装置による前記上部部材の高低を表示する表示装置をさらに含むことができる。前記表示装置は、前記上部部材から上下方向に沿って下側に延長されたラックと、前記ラックと噛合されたピニオンと、前記下部部材の外部に前記ピニオンとともに回転可能になるように設けられ、高低表示部を有する表示部材を含むことができる。
【発明の効果】
【００１６】
本発明の実施例によれば、快適さを感じる高さに枕の高低を調節することができるため、使用者がより安楽な熟眠をとることができる。
【００１７】
特に、病院やホテル、コンドミニアムのように多くの人が利用する施設に適用すれば使用者ごとに自分の選好度に応じて枕の高低を調節することができるので、顧客満足度を大きく向上させることができる。
【図面の簡単な説明】
【００１８】
【図１】本発明の第１の実施例による高低調節枕を示す斜視図である。
【図２】本発明の第１の実施例による高低調節枕を示す正面図である。
【図３】図１においてクッションが除去された状態を示す斜視図である。
【図４】図３においてカバーが除去された状態を示す斜視図である。
【図５】図３においてカバーが除去された状態を示す斜視図である。
【図６】本発明の第１の実施例による高低調節枕を示す正断面図である。
【図７】本発明の第１の実施例による高低調節枕を示す正断面図である。
【図８】本発明の第１の実施例による高低調節枕に適用された昇降装置を示す斜視図である。
【図９】本発明の第１の実施例による高低調節枕に適用された昇降装置を示す斜視図である。
【図１０】図４の平面図である。
【図１１】図５の平面図である。
【図１２】本発明の第２の実施例による高低調節枕を示す正面図である。
【図１３】図１２においてクッションが除去された状態を示す分解斜視図である。
【図１４】本発明の第２の実施例による高低調節枕に適用された昇降装置を示す斜視図である。
【図１５】本発明の第２の実施例による高低調節枕の作動関係を示す図である。
【図１６】本発明の第２の実施例による高低調節枕の作動関係を示す図である。
【図１７】本発明の第２の実施例による高低調節枕の作動関係を示す図である。
【図１８】本発明の第３の実施例による高低調節枕を示す正面図である。
【図１９】図１８においてクッションが除去された状態を示す分解斜視図である。
【図２０】本発明の第３の実施例による高低調節枕に適用された昇降装置を示す斜視図である。
【図２１】図２０に示された昇降装置の一部を示す構成図である。
【図２２】本発明の第３の実施例による高低調節枕に適用された高さ表示装置を示す斜視図である。
【発明を実施するための形態】
【００１９】
以下、添付図面を参照して本発明の好適な実施例を説明する。
【００２０】
［第１の実施例］
【００２１】
本発明の第１の実施例による高低調節枕が図１乃至図１１に示されている。
【００２２】
図１乃至図５に示されたように、本発明の第１の実施例による高低調節枕は、下部部材であり、上面が開放したボックス形態のベース２０と、上部部材であり、ベース２０の上部に昇降可能に固着されたカバー３０と、カバー３０をベース２０に対して上下方向に昇降させる昇降装置１００とを含む。カバー３０上には頭を支えるクッション４０が固着され、クッション４０は昇降装置１００の作動でカバー３０とともに昇降する。
【００２３】
図４乃至図１１に示されたように、昇降装置１００は、ベース２０の先端と後端を貫通（前後に貫通）するように設置される一対の駆動軸１１０（１１２、１１４）と、一対の駆動軸１１０に一定の間隔ごとに軸設される回転ギア１２０と、同様に一対の駆動軸１１０に一定の間隔ごとに軸設される昇降部材１３０とを含む。
【００２４】
一対の駆動軸１１０のうち、第１駆動軸１１２に軸設された回転ギア１２０と、第２駆動軸１１４に軸設された回転ギア１２０とは互いに噛合される。
【００２５】
昇降部材１３０は、一方向に長さが長く形成されて大略楕円形状を有し、どちらか一方の段部が第１駆動軸１１２及び第２駆動軸１１４に軸設される。すなわち、偏心で設置される。昇降部材１３０は一対の駆動軸１１０に対して互いに対向する方向に軸設される。これにより、昇降部材１３０は、並ぶように水平状態を維持しあるいは並ぶように垂直状態に回転するが、これに対する詳細な作動関係について後述する。
【００２６】
一対の駆動軸１１０のうちいずれか一つの駆動軸の先端または後端にはハンドル１４０が設置され、ハンドル１４０が設置された駆動軸には一方向に傾斜したラチェット１５０が軸設される。ラチェット１５０は昇降部材１３０の個数に対応するように複数備えられ、それぞれの昇降部材１３０と密着するように形成されることが好ましいが、その個数は制限されない。
【００２７】
本発明の第１の実施例では、便宜上、第１駆動軸１１２の先端にハンドル１４０が設置され、これによって第１駆動軸１１２に複数のラチェット１５０が軸設されるものとして説明する。
【００２８】
ベース２０の内部空間にはラチェット１５０と噛合され、ラチェット１５０が回転した状態で固定された状態を維持させるストッパー１６０が備えられるが、ストッパー１６０はベース２０を貫通して設置される支持軸１６２に軸設される。ストッパー１６０は一側に弾性部材１６０ａが延長固定された状態を維持し、これによって一定の外力が加えられる場合、支持軸１６２とともに一定の角度だけ回転して元の状態に復元する弾性を有する。
【００２９】
支持軸１６２に軸設されたストッパー１６０のうち最も前側の先端に位置するストッパーとベース２０の先端内面との間には、支持軸１６２を覆う弾性スプリング１６４が介在する。また、支持軸１６２の先端にはベース２０の外部に露出するレバー１７０が設置され、支持軸１６２はレバー１７０の引きまたは支持軸１６２の末端のプッシュによる弾性スプリング１６４の圧縮と復元によって前後方向に移動する。
【００３０】
したがって、図１０及び図１１に示されたように、ストッパー１６０は、弾性スプリング１６４の張力によってラチェット１５０と同一水平線上に位置して互いに噛合された状態に維持される。そして、支持軸１６２の後端を前方へ押したり、レバー１７０を引いたりする場合、弾性スプリング１６４が圧縮しながら支持軸１６２が前方に移動することによって支持軸１６２に軸設されたストッパー１６０も前方に移動することで、ストッパー１６０はラチェット１５０と同一水平線上から離脱するようになる。この状態において、支持軸１６２の後端を押したり、レバー１７０を引いたりする力を解除すると、支持軸１６２は弾性スプリング１６４の復元力によって元の状態に移動し、これによってストッパー１６０は図１０に示されたように再びラチェット１５０と噛合された状態になる。
【００３１】
参考までに、第１駆動軸１１２に軸設された昇降部材１３０の場合、水平をなす状態で支持軸１６２と干渉が生じないように一定の大きさの凹溝１３２が形成される。
【００３２】
一方、ベース２０の両側の内壁面には固着部２４が形成され、固着部２４にはカバー３０が固着され、カバー３０にクッション４０が固着される。
【００３３】
したがって、図６のように昇降部材１３０が水平をなす状態では、カバー３０がベース２０の固着部に固着された状態をなし、図７のように昇降部材１３０が垂直方向に回転すると、昇降部材１３０によってカバー３０がベース２０の固着部２４から上昇する。
【００３４】
参考までに、ベース２０の両側の壁面にはカバー３０の垂直方向の昇降を案内するためのガイド段部２２が延長され、カバー３０の両側の壁面にはクッション４０の離脱を防止するための防止段部３２が延長される。
【００３５】
本発明の第１の実施例による高低調節枕の作動関係を説明すると次のとおりである。
【００３６】
まず、図４及び図６に示されたように、昇降部材１３０が水平をなし、カバー３０がベース２０の固着部２４に固着された状態は枕の高さが最も低い状態に維持される。
【００３７】
この状態において、使用者が枕の高さを高くしようとする場合、一対の駆動軸１１０のうちいずれか一つの駆動軸の一側に軸設されたハンドル１４０を一方向に回転させればよい。すなわち、図２、図５及び図７に示されたように、ハンドル１４０を一方向に回転させると、ハンドル１４０が軸設された第１駆動軸１１２が連動して回転し、これによって第１駆動軸１１２に軸設されたラチェット１５０がストッパー１６０に沿って一方向に回転する。例えば、第１駆動軸１１２の一側に設置されたハンドル１４０を右側方向に回転させると、第１駆動軸１１２に軸設されたラチェット１５０も連動してストッパー１６０と音を立てながら右側に回転する。
【００３８】
ここで、ストッパー１６０は、それぞれの弾性部材１６０ａを軽く押しながら弾性を発揮するので、ラチェット１５０が一方向に回転するようになる。この時、第１駆動軸１１２も右側に回転するようになることにより、回転ギア１２０とともに昇降部材１３０も回転するようになるが、昇降部材１３０は水平から垂直状態に回転する。
【００３９】
第１駆動軸１１２の回転ギア１２０は第２駆動軸１１４の回転ギア１２０と噛合されているので、第１駆動軸１１２が右側に回転すると、第２駆動軸１１４は反対である左側方向に回転し、これによって第２駆動軸１１４に軸設された昇降部材１３０も第１駆動軸１１２に軸設された昇降部材１３０とは対向する方向に水平から垂直状態に回転する。
【００４０】
このように、両側の昇降部材１３０が垂直方向に回転することによって昇降部材１３０がカバー３０を持ち上げるようになり、これによってカバー３０に固着されたクッション４０が上昇するようになり、枕の高さが高くなるようになる。
【００４１】
この状態において、クッション４０で頭を支えてクッション４０及びカバー３０に荷重が加えられてもラチェット１５０がストッパー１６０によって係止した状態での固定を維持するので、一対の駆動軸１１０が反対方向に回転することが制限されることでクッション４０はその高さがそのまま維持される。
【００４２】
したがって、使用者はクッション４０の高さをハンドル１４０の一方向への回転によって所望の高さだけ段階的に高くすることができる。
【００４３】
上述したように、クッション４０の高さが高くなった状態で反対に再びクッション４０の高さを低くしようとする場合には、ラチェット１５０とストッパー１６０の固定を解除した後、ハンドル１４０を反対方向である左側に回転させればよい。すなわち、図１０及び図１１に示されたように、支持軸１６２の後端を前方に押したり、支持軸１６２の先端に設置されたレバー１７０を引いたりすると、支持軸１６２の先端に位置するストッパーが弾性スプリング１６４を圧縮させながら一定の間隔だけ長手方向に移動し、これによってストッパー１６０はラチェット１５０と同一水平線上から離脱した状態になるが、ラチェット１５０は反対方向である左側への回転に制限されなくなる。
【００４４】
したがって、この状態においてハンドル１４０を左側に回転させるようになると、第１駆動軸１１２と回転ギア１２０も左側方向に回転し、同時に昇降部材１３０も左側方向に回転して垂直状態から水平状態になる。この時、第２駆動軸１１４及び第２駆動軸１１４に軸設された回転ギア１２０と昇降部材１３０は右側方向に回転することは勿論である。
【００４５】
これに、カバー３０が水平に回転する昇降部材１３０に沿って徐々に下降し、カバー３０の下降が終わると、押していた支持軸１６２を放したり、引いていたレバー１７０を放したりすればいい。
【００４６】
このように支持軸１６２の押しを解除したり、引きを解除したりすると、弾性スプリング１６４の復元力によって支持軸１６２は元の状態に長手方向に移動する。したがって、ストッパー１６０は再びラチェット１５０と同一線上に位置して噛合状態を維持するので、この状態においてハンドル１４０の回転で再びカバー３０及びクッション４０を上昇させることができるようになる。
【００４７】
参考までに、本発明の第１の実施例でラチェット１５０とハンドル１４０が一対の駆動軸１１０のうち第１駆動軸１１２に設置されたものとして説明したが、第２駆動軸１１４に設置されることもでき、この場合ストッパー１６０が軸設された支持軸１６２は第２駆動軸１１４が位置する部位に対応するようにも設置可能であることは勿論である。
【００４８】
［第２の実施例］
【００４９】
本発明の第２の実施例による高低調節枕が図１２乃至図１７に示されている。
【００５０】
図１２、１３に示されたように、本発明の第２の実施例による高低調節枕は、下部部材であり上面が開放したボックス形態のベース２０Ａと、上部部材でありベース２０Ａの上部に昇降可能に固着されたカバー３０Ａと、カバー３０Ａをベース２０Ａに対して上下に昇降させる昇降装置２００とを含む。カバー３０Ａには頭を支えるクッション４０Ａが固着され、これによって昇降装置２００の作動でクッション４０Ａが連動して昇降するようになる。
【００５１】
図１３、１４に示されたように、昇降装置２００は、ベース２０Ａの一側面を貫通して設置される駆動軸２２０と、駆動軸２２０の末端に軸設されたピニオンギア（駆動ベベルギア、２２２）と、ピニオンギア２２２と噛合されたリングギア（従動ベベルギア、２２４）と、リングギア２２４と連動して回転する駆動ギア部（駆動平ギア、２２６）と、駆動ギア部２２６と噛合されて連動する複数の従動ギア部（従動平ギア、２３０）とを含む。
【００５２】
駆動軸２２０の末端に軸設されるピニオンギア２２２及びこれと噛合されたリングギア２２４は、ベベルギアをなして駆動軸２２０の縦方向の回転を駆動ギア部２２６の横方向の回転に変える。駆動軸２２０の先端にはベース２０Ａの外部に露出するハンドル２１０が設置される。ハンドル２１０を回転させると、駆動軸２２０が回転し、これによってピニオンギア２２２及びリングギア２２４のベベルギアが回転し、ここに駆動ギア部２２６が連動して回転することによって従動ギア部２３０も連動して回転する。従動ギア部２３０の上面には、円周周りに沿って高さが段差を有して形成された昇降部２３４が形成される。
【００５３】
図１４乃至図１７に示されたように、昇降部２３４は、高さが最も低く形成された第１段部Ａと、第１段部Ａから上向きに傾斜した第１傾斜面ａを間に置いて形成された第２段部Ｂと、第２段部Ｂから上向きに傾斜した第２傾斜面ｂを間に置いて形成された第３段部Ｃと、第３段部Ｃから上向きに傾斜した第３傾斜面ｃを間に置いて形成された第４段部Ｄと、第４段部Ｄから上向きに傾斜した第４傾斜面ｄを間に置いて形成された第５段部Ｅと、第５段部Ｅから上向きに傾斜した第５傾斜面ｅを間に置いて形成された第６段部Ｆと、第６段部Ｆから第１段部Ａの間に下向きに傾斜して形成された第６傾斜面ｆとを有する構造からなる。本発明の第２の実施例で昇降部２３４が第１段部Ａから第６段部Ｆまで総６段階の高さの差を置いて段差をなすものとして説明したが、これは２段以上の複数の段で形成可能であることは勿論である。第１段部Ａないし第６段部Ｆはすべて等間隔でなり駆動ギア部２２６を間に置いて放射状に配置される。
【００５４】
カバー３０Ａの底面には従動ギア部２３０の昇降部２３４にそれぞれ固着される接触部材３２Ａが形成される。したがって、従動ギア部２３０の回転に沿って昇降部２３４の回転によって、接触部材３２Ａは第１段部Ａないし第６段部Ｆに位置するようになることで昇降するが、これに対する詳細な説明は後述することにする。
【００５５】
接触部材３２Ａが従動ギア部２３０の昇降部２３４の回転によって昇降するとき、水平方向に離脱することなく垂直方向に昇降するようにするため、カバー３０Ａの底面には少なくとも一つのガイドピン３４Ａが形成され、ベース２０Ａにはガイドピン３４Ａの昇降を案内するピン挿入部材２２Ａが形成される。ピン挿入部材２２Ａには、ガイドピン３４Ａが挿入された状態で昇降することができるようにするガイド孔２４Ａが形成される。これと異なり、カバー３０Ａにガイド孔が形成されたピン挿入部材を形成し、ベース２０Ａにガイドピンを形成することもできる。
【００５６】
本発明の第２の実施例による高低調節枕の作動関係を説明すると次のとおりである。
【００５７】
ベース２０Ａの内部空間に昇降装置２００が設置され、昇降装置２００にクッション４０Ａが載せられたカバー３０Ａが固着された状態において、図１５に示されたように、接触部材３２Ａが従動ギア部２３０の第１段部Ａに位置する場合、カバー３０Ａ及びクッション４０Ａは最も低い位置に維持される。
【００５８】
この状態において、使用者が枕の高さを高くしようとする場合、ハンドル２１０を一方向に回転させると、ハンドル２１０と軸設された駆動軸２２０が回転し、これによってピニオンギア２２２及びリングギア２２４からなるベベルギアが連動して回転する。
【００５９】
したがって、ベベルギアのリングギア２２４が固着された駆動ギア部２２６が一方向に回転するので、駆動ギア部２２６と噛合される複数の従動ギア部２３０も一方向に回転する。すなわち、駆動ギア部２２６のギア部と従動ギア部２３０のギア部２３２が噛合されて駆動ギア部２２６の回転によって従動ギア部２３０も回転する。
【００６０】
このように、従動ギア部２３０が回転すると、従動ギア部２３０の上面に形成された昇降部２３４も回転し、これによって接触部材３２Ａは傾斜面に沿って高さが高い次の段階の段部に位置することにより、カバー３０Ａは上昇する。
【００６１】
例えば、図１６に示されたように、ハンドル２１０の回転によって駆動軸２２０、ベベルギア及び駆動ギア部２２６の回転によって従動ギア部２３０が回転して昇降部２３４も回転し、これによって接触部材３２Ａの底部に第３段部Ｃが位置すると、カバー３０Ａ及びクッション４０Ａが一定の高さだけ高くなる状態となる。この場合、接触部材３２Ａは第１傾斜面ａに沿って第２段部Ｂを経て、第２傾斜面ｂに沿って第３段部Ｃに固着された状態をなすようになる。
【００６２】
続いて、ハンドル２１０を回転させると、図１７に示されたように、駆動軸２２０、ベベルギア、駆動ギア部２２６、従動ギア部２３０の回転によって接触部材３２Ａは、第３傾斜面ｃに沿って第４段部Ｄを経て、第４傾斜面ｄに沿って第５段部Ｅを経て、第５傾斜面ｅに沿って第６段部Ｆに固着された状態をなすので、カバー３０Ａ及びクッション４０Ａは最も高くなる状態になる。
【００６３】
このように、カバー３０Ａ及びクッション４０Ａが最も高くなった状態において、続いてハンドル２１０を回転させると、接触部材３２Ａは駆動軸２２０、ベベルギア、駆動ギア部２２６、従動ギア部２３０の回転によって第６傾斜面ｆに沿って降下して第１段部Ａに固着され、これによってカバー３０Ａ及びクッション４０Ａは図１５のように最も低くなる状態になる。
【００６４】
参考までに、本発明の第２の実施例において、ハンドル２１０の回転によって接触部材３２Ａが昇降部２３４の各段部のうち低い段階の段部から高い段階の段部に移動してカバー３０Ａ及びクッション４０Ａの高さが上昇することを例に挙げて説明したが、ハンドル２１０を反対方向に回転させることによって接触部材３２Ａが昇降部２３４の高い段階の段部から低い段階の段部に移動してカバー３０Ａ及びクッション４０Ａの高さが下降するようにできることは勿論である。
【００６５】
一方、図１４に示されたように、各従動ギア部２３０の上面に形成された昇降部２３４において、各段部Ａ〜Ｆと傾斜面ａ〜ｆの境界部位には各段部より一定の高さだけ高い段差部（図面符号なし）を形成することで一定の外力が加えられる場合にのみ接触部材３２Ａが昇降部２３４の傾斜面ａ〜ｆに沿って低い段階の段部に移動するようにすることもできる。
【００６６】
［第３の実施例］
【００６７】
本発明の第３の実施例による高低調節枕が図１８乃至図２２に示されている。
【００６８】
図１８、１９に示されたように、本発明の第３の実施例による高低調節枕は、下部部材であるベース２０Ｂ及び上部部材であるカバー３０Ｂを含む。ベース２０Ｂは上部の少なくとも一部分が開放した構造のボックス形状で形成され、カバー３０Ｂはベース２０Ｂの上部に上下方向に直線移動可能に固着される。ベース２０Ｂとカバー３０Ｂは枕本体を構成する。本発明の第３の実施例による高低調節枕は、ベース２０Ｂに対してカバー３０Ｂを上下方向に移動させてカバー３０Ｂの高低を調節する昇降装置３００をさらに含む。カバー３０Ｂ上には、使用者の頭を弾力性を持たせるように支えるためのクッション４０Ａが備えられる。これによって、クッション４０Ａは、カバー３０Ｂが昇降装置３００の作動で昇降すると、カバー３０Ｂとともに同一の方向に移動する。
【００６９】
図１９、２０に示されたように、昇降装置３００は、ベース２０Ｂの壁体（例えば、前壁）を貫通して水平方向に配置し、回転可能になるように設置された駆動軸３１０、ベース２０Ｂの内部空間において駆動軸３１０上に設置された駆動ベベルギア３３０、駆動ベベルギア３３０と噛合された従動ベベルギア３４０、従動ベベルギア３４０と同軸で設置された駆動平ギア３５０、および駆動平ギア３５０と噛合された単数または複数の従動平ギア３６０を含む。ベース２０Ｂの外部において駆動軸３１０上にはハンドル３２０が装着される。駆動平ギア３５０はベース２０Ｂの底に装着される。従動平ギア３６０は複数備えられる。従動平ギア３６０は駆動平ギア３５０の周りに配置されてベース２０Ｂの底に装着される。従動ベベルギア３４０は駆動平ギア３５０の上部に配置される。
【００７０】
ハンドル３２０を回転させると、駆動軸３１０とともに駆動ベベルギア３３０が同一の方向に回転し、従動ベベルギア３４０が駆動平ギア３５０と同時に上下方向の軸線を中心に回転し、従動平ギア３６０も上下方向の軸線を中心に回転する。
【００７１】
本発明の第３の実施例による高低調節枕はここまで考察した構成が第２の実施例と事実上同一あるいは類似する。
【００７２】
図２０、２１に示されたように、昇降装置３００は、従動平ギア３６０の上部にそれぞれ従動平ギア３６０とともに回転するように備えられた回転部材３７０、およびカバー３０Ｂから回転部材３７０の方にそれぞれ突出した接触部材３８０をさらに含む。この時、接触部材３８０は第２の実施例の接触部材３２Ａと類似する機能をする。
【００７３】
各回転部材３７０は、上面に下部の従動平ギア３６０の軸線を中心とする円周方向に沿って一方向（図面を基準にすると反時計方向）に上向きに傾斜した傾斜部３７２が設けられる。傾斜部３７２上には傾斜部３７２の長手方向に沿って係止突起部３７４が連続して設けられ、係止突起部３７４は互いに異なる高さに配置される。
【００７４】
各接触部材３８０は回転部材３７０の回転角度によって係止突起部３７４のうちいずれか一つと末段部分が接触する。
【００７５】
係止突起部３７４は段差面３７６と連結面３７８から構成される。段差面３７６は、傾斜部３７２の長手方向に沿って一定の間隔を置いて配置されて互いに離隔すると同時に、互いに異なる高さに位置する。連結面３７８は互いに異なる高さの段差面３７６を連結する傾斜面で形成される。これによれば、接触部材３８０は、回転部材３７０を回転させると、連結面３７８に沿って昇降しながら現段差面で隣接する他の段差面に接触することができる。
【００７６】
接触部材３８０が意図せず連結面３７８に沿って昇降することを防止するために、段差面３７６はそれぞれ下部の従動平ギア３６０の軸線を中心とする円周方向に沿って一方向に下向きに傾斜するように設けられる。
【００７７】
具体的に示していないが、本発明の第３の実施例による高低調節枕はカバー３０Ｂの昇降運動をガイドする案内手段をさらに含むことができる。案内手段は、カバー３０Ｂから下側に突出した少なくとも一つ以上のガイドピン（図示しない）、ベース２０Ｂに設けられ、ガイドピンが挿入されるガイド孔を備えたピン挿入部材５０Ｂを含むことができる。ガイドピンとピン挿入部材５０Ｂの位置は互いに変えることができる。この時、ガイドピン及びピン挿入部材５０Ｂは第２の実施例のガイドピン３４Ａ及びピン挿入部材２２Ａと同一または類似する役割をする。
【００７８】
本発明の第３の実施例による高低調節枕の作動関係を説明すると次のとおりである。
【００７９】
接触部材３８０が係止突起部３７４のうち最下端に位置した係止突起部３７４の段差面３７６上に位置すると、カバー３０Ｂは最も低い位置に維持される。
【００８０】
かかる状態において、ハンドル３２０を図２０を基準にして反時計方向に回転させると、駆動軸３１０とともに駆動ベベルギア３３０、従動ベベルギア３４０、駆動平ギア３５０及び従動平ギア３６０が回転する。この時、従動平ギア３６０は図２０を基準にして時計方向に回転する。そして、接触部材３８０は、最下端の係止突起部３７４の傾斜した連結面３７８に沿って上昇しながら、最下端の係止突起部３７４と隣接する高い段階の係止突起部の段差面３７６上に位置し、これによってカバー３０Ｂは一段階上昇した高さに維持される。
【００８１】
続いてハンドル３２０を同一の方向に回転させると、カバー３０Ｂも高さが継続して上昇する。一方、ハンドル３２０を反対方向に回転させると、接触部材３８０が相対的に低い段階の係止突起部の段差面上に位置しながらカバー３０Ｂの高さが下降する。
【００８２】
図２２の図面符号４００は昇降装置３００によって昇降したカバー３０Ｂの高低を表示する表示装置である。
【００８３】
図２２とともに図１８、１９を参照すると、表示装置４００は、カバー３０Ｂから下側に延長されてベース２０Ｂの内部に位置するラック４１０、ラック４１０と噛合されてベース２０Ｂの内部に装着されたピニオン４２０、ピニオン４２０と噛合されてベース２０Ｂの内部に装着された作動ギア４３０、およびベース２０Ｂの外部に配置されて作動ギア４３０の軸上に装着され、作動ギア４３０とともに回転して高低表示部を有する表示部材４４０を含む。図示してないが、ベース２０Ｂにおいて表示部材４４０と隣接する部分には指示部が設けられ、表示部材４４０の高低表示部が示す高低を指示部が指示するように構成することができる。
【００８４】
かかる表示装置４００は、カバー３０Ｂが昇降するとラック４１０が同一の方向にともに昇降し、これによってピニオン４２０及び作動ギア４３０が回転すると同時に表示部材４４０が回転しながら昇降したカバー３０Ｂの高低が表示される。この時、使用者は、表示部材４４０の高低表示部を通じて昇降したカバー３０Ｂの高低を肉眼で確認しながらカバー３０Ｂの高低を調節することができる。
【００８５】
以上本発明を説明したが、本発明は開示された実施例及び添付の図面によって限定されず、本発明の技術的思想を遺脱しない範囲内で通常の技術者によって多様な変形が可能である。また、本発明の実施例で説明した技術的思想は、それぞれ独立して実施することもでき、二つ以上が互いに組み合わされて実施することもできる。
【図１】
2017511724.tif 000003
【図２】
2017511724.tif 000004
【図３】
2017511724.tif 000005
【図４】
2017511724.tif 000006
【図５】
2017511724.tif 000007
【図６】
2017511724.tif 000008
【図７】
2017511724.tif 000009
【図８】
2017511724.tif 000010
【図９】
2017511724.tif 000011
【図１０】
2017511724.tif 000012
【図１１】
2017511724.tif 000013
【図１２】
2017511724.tif 000014
【図１３】
2017511724.tif 000015
【図１４】
2017511724.tif 000016
【図１５】
2017511724.tif 000017
【図１６】
2017511724.tif 000018
【図１７】
2017511724.tif 000019
【図１８】
2017511724.tif 000020
【図１９】
2017511724.tif 000021
【図２０】
2017511724.tif 000022
【図２１】
2017511724.tif 000023
【図２２】
2017511724.tif 000024
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
下部部材と、
前記下部部材の上側に前記下部部材に対して上下移動可能に配置された上部部材と、
前記上部部材を移動させて前記上部部材の高低を調節する昇降装置と、
を含み、
前記昇降装置は、
前記下部部材と前記上部部材のうちいずれか一つに上下方向の軸線を中心に回転可能に装着され、
前記下部部材と前記上部部材のうち他の一つと対向する対向面に前記軸線を中心とする円周方向に沿って一方向に上向きに傾斜した傾斜部と、
前記傾斜部の上に前記傾斜部の長手方向に連続して設けられ、互いに異なる高さに配置された複数の係止突起部と、
を有する、回転部材と、
前記下部部材と前記上部部材のうち他の一つに設けられ、
前記回転部材の回転角度によって前記複数の係止突起部のうちいずれか一つと接触可能である、
接触部材と、
を含み、
前記複数の係止突起部は、それぞれ段差面及び連結面から構成され、
前記段差面は、前記傾斜部の長手方向に沿って間隔を置いて配置されて互いに離隔すると同時に互いに異なる高さに位置し、
前記連結面は、互いに異なる高さの段差面を連結する傾斜面で形成され、
前記接触部材は、前記回転部材を回転させると前記連結面に沿って昇降しながら隣接する他の段差面に移動する、
高低調節枕。
【請求項２】
前記段差面はそれぞれ前記軸線を中心とする円周方向に沿って一方向に下向きに傾斜して設けられた、請求項１に記載の高低調節枕。
【請求項３】
前記上部部材の昇降を案内するものであって、ガイドピン及び前記ガイドピンが挿入されるガイド孔を有するピン挿入部材から構成された案内手段をさらに含み、
前記ガイドピンは前記上部部材と前記下部部材のうち一つに備えられ、
前記ピン挿入部材は前記上部部材と前記下部部材のうち他の一つに備えられた、
請求項１に記載の高低調節枕。
【請求項４】
前記昇降装置による前記上部部材の高低を表示する表示装置をさらに含む、請求項１に記載の高低調節枕。
【請求項５】
前記表示装置は、
前記上部部材から上下方向に沿って下側に延長されたラックと、
前記ラックと噛合されたピニオンと、
前記下部部材の外部に前記ピニオンとともに回転可能になるように設けられ、高低表示部を有する表示部材と、
を含む、
請求項４に記載の高低調節枕。
【国際調査報告】
2017511724.tif 000025
2017511724.tif 000026
2017511724.tif 000027
2017511724.tif 000028